(57)【要約】【課題】在室者に対して室内空間を明るく感じさせることが可能な照明システムを提供する。【解決手段】部屋１に配置された机２に対応して設けられ、かつ前記部屋１の床面１ｂから１．５ｍ以上２．０ｍ未満の高さに設けられる手元照明装置１２０と、前記手元照明装置１２０より上方に設けられ、前記部屋１の天井１ａに向かって光を照射する空間照明装置１１０と、前記手元照明装置１２０及び前記空間照明装置１１０の動作を制御可能な制御装置１５０と、を具備した。【選択図】図１
2018056016.tif 000002
【特許請求の範囲】
【請求項１】
部屋に配置された座席に対応して設けられ、かつ前記部屋の床面から１．５ｍ以上２．０ｍ未満の高さに設けられる手元照明装置と、
前記手元照明装置より上方に設けられ、前記部屋の天井に向かって光を照射する空間照明装置と、
前記手元照明装置及び前記空間照明装置の動作を制御可能な制御装置と、
を具備する照明システム。
【請求項２】
前記手元照明装置は、
光源と、
前記光源を覆う半透明のカバーと、
を具備する、
請求項１に記載の照明システム。
【請求項３】
前記空間照明装置は、
前記部屋の天井から２０ｃｍ以上離れた位置に設けられる、
請求項１又は請求項２に記載の照明システム。
【請求項４】
前記天井には、
光を拡散反射させる加工が施される、
請求項１から請求項３までのいずれか一項に記載の照明システム。
【請求項５】
前記部屋の在室者を検出する在室者検出手段をさらに具備し、
前記制御装置は、
前記在室者検出手段により検出された在室者の有無に応じて前記手元照明装置及び前記空間照明装置の動作を制御する、
請求項１から請求項４までのいずれか一項に記載の照明システム。
【請求項６】
前記部屋の在室者を検出する在室者検出手段をさらに具備し、
前記制御装置は、
前記在室者検出手段により検出された在室者の数に基づいて、在室者の多さの度合いである在室者率を算出し、当該在室者率に応じて前記手元照明装置及び前記空間照明装置の動作を制御する、
請求項１から請求項５までのいずれか一項に記載の照明システム。
【請求項７】
前記制御装置は、
時間帯に応じて前記手元照明装置及び前記空間照明装置の動作を制御する、
請求項１から請求項６までのいずれか一項に記載の照明システム。
【請求項８】
前記部屋に設定された複数の区画のそれぞれに在室者が存在するか否かを検出する区画別検出手段をさらに具備し、
前記制御装置は、
前記区画別検出手段により検出された在室者の存在の有無に応じて、前記区画ごとに前記手元照明装置及び前記空間照明装置の動作を制御する、
請求項１から請求項７までのいずれか一項に記載の照明システム。
【発明の詳細な説明】
【技術分野】
【０００１】
本発明は、室内の照明を行う照明システムの技術に関する。
【背景技術】
【０００２】
従来、室内の照明を行う照明システムの技術は公知となっている。例えば、特許文献１に記載の如くである。
【０００３】
特許文献１には、作業者が作業を行う机上を照明するためのタスク用照明装置と、室内空間を全体的に照明するためのアンビエント用照明装置と、を具備する照明システムが記載されている。当該技術では、タスク用照明装置によって机上面の必要照度を確保することでアンビエント用照明装置の出力を抑制することができ、照明システム全体として省エネを図ることができる。
【０００４】
このような技術（いわゆる、タスク・アンビエント照明）は、一般的にオフィス等に適用されることが想定されているため、机上面の必要照度を確保し、在室者（当該机の利用者）の作業性を向上させることが重視される傾向にある。
【０００５】
しかしながら、仮に机上面の必要照度が確保されていたとしても、室内空間の全体的な照度が低い場合、在室者の作業性が低下するおそれがある。例えば、室内空間が薄暗い場合、机上面の必要照度が確保されていたとしても、在室者は室内空間の薄暗さから暗い印象を受け、仕事の効率の低下等の悪影響を受けるおそれがある。
【先行技術文献】
【特許文献】
【０００６】
【特許文献１】特開２００５−２３５５５３号公報
【発明の概要】
【発明が解決しようとする課題】
【０００７】
本発明は以上の如き状況に鑑みてなされたものであり、その解決しようとする課題は、在室者に対して室内空間を明るく感じさせることが可能な照明システムを提供することである。
【課題を解決するための手段】
【０００８】
本発明の解決しようとする課題は以上の如くであり、次にこの課題を解決するための手段を説明する。
【０００９】
即ち、請求項１においては、部屋に配置された座席に対応して設けられ、かつ前記部屋の床面から１．５ｍ以上２．０ｍ未満の高さに設けられる手元照明装置と、前記手元照明装置より上方に設けられ、前記部屋の天井に向かって光を照射する空間照明装置と、前記手元照明装置及び前記空間照明装置の動作を制御可能な制御装置と、を具備するものである。
【００１０】
請求項２においては、前記手元照明装置は、光源と、前記光源を覆う半透明のカバーと、を具備するものである。
【００１１】
請求項３においては、前記空間照明装置は、前記部屋の天井から２０ｃｍ以上離れた位置に設けられるものである。
【００１２】
請求項４においては、前記天井には、光を拡散反射させる加工が施されるものである。
【００１３】
請求項５においては、前記部屋の在室者を検出する在室者検出手段をさらに具備し、前記制御装置は、前記在室者検出手段により検出された在室者の有無に応じて前記手元照明装置及び前記空間照明装置の動作を制御するものである。
【００１４】
請求項６においては、前記部屋の在室者を検出する在室者検出手段をさらに具備し、前記制御装置は、前記在室者検出手段により検出された在室者の数に基づいて、在室者の多さの度合いである在室者率を算出し、当該在室者率に応じて前記手元照明装置及び前記空間照明装置の動作を制御するものである。
【００１５】
請求項７においては、前記制御装置は、時間帯に応じて前記手元照明装置及び前記空間照明装置の動作を制御するものである。
【００１６】
請求項８においては、前記部屋に設定された複数の区画のそれぞれに在室者が存在するか否かを検出する区画別検出手段をさらに具備し、前記制御装置は、前記区画別検出手段により検出された在室者の存在の有無に応じて、前記区画ごとに前記手元照明装置及び前記空間照明装置の動作を制御するものである。
【発明の効果】
【００１７】
本発明の効果として、以下に示すような効果を奏する。
【００１８】
請求項１においては、在室者に対して室内空間を明るく感じさせることができる。
【００１９】
請求項２においては、在室者に対して室内空間をより効果的に明るく感じさせることができる。
【００２０】
請求項３においては、室内空間を効果的に明るくすることができる。
【００２１】
請求項４においては、室内空間を効果的に明るくすることができる。
【００２２】
請求項５においては、在室者の有無に応じた照明環境の調節が可能となる。
【００２３】
請求項６においては、在室者率に応じた照明環境の調節が可能となる。
【００２４】
請求項７においては、時間帯に応じた照明環境の調節が可能となる。
【００２５】
請求項８においては、各区画の在室者の有無に応じた照明環境の調節が可能となる。
【図面の簡単な説明】
【００２６】
【図１】本発明の一実施形態に係る照明システムの構成を示した側面模式図。
【図２】照明システムの平面模式図。
【図３】照明システムの制御態様を示すフローチャート。
【図４】図３の続きを示すフローチャート。
【図５】（ａ）５０％未満の手元照明装置が点灯している様子を示した平面模式図。（ｂ）５０％の手元照明装置が点灯している様子を示した平面模式図。
【図６】部屋に在室者がいない場合の照明の様子を示した平面模式図。
【図７】就業時間前等の時間帯における照明の様子を示した平面模式図。
【図８】在室者率が８０％以上である場合の照明の様子を示した平面模式図。
【図９】在室者率が８０％未満である場合の照明の様子を示した平面模式図。
【図１０】全員不在の作業区画がある場合の照明の様子を示した平面模式図。
【図１１】（ａ）空間照明装置等の第一の変形例を示す側面模式図。（ｂ）空間照明装置等の第二の変形例を示す側面模式図。
【発明を実施するための形態】
【００２７】
まず、図１及び図２を用いて、本実施形態に係る照明システム１００が適用される部屋１の概略について説明する。
【００２８】
本実施形態においては、部屋１として、在室者Ｐが事務作業等を行う部屋（オフィス）を想定している。部屋１には、在室者Ｐが作業等を行う机２が複数配置されている。本実施形態においては、図２に示すように、複数（６つ）の机２を集中して配置することで、１つの作業区画Ｓが形成されている。部屋１には、複数の作業区画Ｓが形成されている。なお、図２には、部屋１に形成された作業区画Ｓのうち２つを示している。
【００２９】
次に、本実施形態に係る照明システム１００の構成について説明する。
【００３０】
照明システム１００は、部屋１の内部（室内）の照明環境を、在室者Ｐに適したものとなるように自動的に調節するものである。照明システム１００は、主として空間照明装置１１０、手元照明装置１２０、操作具１３０、人感センサ１４０及び制御装置１５０を具備する。
【００３１】
空間照明装置１１０は、部屋１の室内全体の照明（アンビエント照明）を調節するものである。空間照明装置１１０は、主として架台１１１及び光源１１２を具備する。架台１１１は、梁状に形成される。架台１１１は、部屋１の天井１ａから所定間隔だけ下方に離れた位置に設けられる。光源１１２は、架台１１１の上面に固定される。光源１２１としては、蛍光灯やＬＥＤ等を用いることができる。
【００３２】
本実施形態においては、空間照明装置１１０は、天井１ａから２０ｃｍ以上離れた位置に設置されるものとする。空間照明装置１１０は、光の照射方向が上方（すなわち、天井１ａ）を向くように配置される。空間照明装置１１０は、部屋１内において、互いに適宜の間隔をあけて複数設けられる。空間照明装置１１０は、出力を適宜調節することができる。
【００３３】
このように構成された空間照明装置１１０が発光することで、当該空間照明装置１１０からの光が部屋１の天井１ａに照射される。このように、空間照明装置１１０は、天井１ａに光を照射することで、間接照明として部屋１全体が明るくなるように照明することができる。
【００３４】
特に、本実施形態においては、天井１ａに、光を拡散反射させる加工が施されている。これによって、空間照明装置１１０からの光が天井１ａで反射する際に拡散されるため、部屋１全体をより明るくすることができる。なお、当該天井１ａの加工方法としては、白色の拡散反射フィルムやクロス（壁紙）を貼り付けたり、拡散反射率が比較的高い塗料を塗布する方法等がある。この際、天井１ａの拡散反射率は９０％を超えるようにすることが望ましい。
【００３５】
なお、図１においては、空間照明装置１１０が各机２の上方に設置されている様子を示しているが、図２においては、説明の便宜上、模式的に各作業区画Ｓに対して１つの空間照明装置１１０のみを示している。
【００３６】
手元照明装置１２０は、主に机２の周囲の局所的な照明（タスク照明）を調節するものである。手元照明装置１２０は、空間照明装置１１０よりも下方（低い位置）に配置される。手元照明装置１２０は、空間照明装置１１０に吊り下げられている。本実施形態においては、手元照明装置１２０は、部屋１の床面１ｂから１．５ｍ以上、かつ２．０ｍ未満の高さとなるように設置されるものとする。手元照明装置１２０は、部屋１に配置された机２に対応するように、すなわち、１つの机２に対して１つの手元照明装置１２０が設けられる。手元照明装置１２０は、机２の真上に配置される。手元照明装置１２０は、出力を適宜調節することができる。
【００３７】
手元照明装置１２０は、主として光源１２１及びセード１２２を具備する。光源１２１は、光を発する発光体である。光源１２１としては、電球やＬＥＤ等を用いることができる。セード１２２は、光源１２１を覆うことで、当該光源１２１から出る光を制御するためのカバーである。セード１２２は、光源１２１の上方及び側方を覆うような椀状に形成される。セード１２２は、半透明材料により形成される。これによって、光源１２１からの光は、机２の上だけではなく、比較的広い範囲に照射される。また、手元照明装置１２０の側方からでも、セード１２２を介して光源１２１の光を視認することができる。このように、手元照明装置１２０は、机２の明るさを確保するだけでなく部屋１の空間内の明るさや、当該手元照明装置１２０を見た在室者Ｐが感覚的に感じる明るさを高めることができる。
【００３８】
このように構成された手元照明装置１２０が発光することで、当該手元照明装置１２０からの光が下方の机２に照射される。これによって、当該机２を使用している在室者Ｐの手元が明るくなるように照明することができる。また、手元照明装置１２０が発光すると、当該光はセード１２２を介して側方へも照射される。これによって、当該手元照明装置１２０に対応する机２を使用している在室者Ｐだけでなく、その他周囲の在室者Ｐも、当該手元照明装置１２０が発光している様子を視認することができる。特に、手元照明装置１２０は、床面１ｂから１．５ｍ（起立した女性の目元位置と略同一の高さ）以上、かつ２．０ｍ（起立した女性の視野範囲に十分入る高さ）未満の高さに設置されている。このため、手元照明装置１２０の発光する様子を、周囲の在室者Ｐに積極的に視認させることができる。これによって、当該在室者Ｐに対して感覚的に部屋１が明るい印象を与えることができる。
【００３９】
図１に示す操作具１３０は、手元照明装置１２０の出力を調節するものである。操作具１３０は、各机２に設けられる。操作具１３０を操作することにより、当該机２に対応する手元照明装置１２０の出力（照度）に調節することができる。操作具１３０は、主に当該机２に着座する在室者Ｐにより操作される。
【００４０】
人感センサ１４０は、机２に着座（着席）している在室者Ｐを検出するものである。人感センサ１４０としては、赤外線センサ、超音波センサ等を用いることができる。人感センサ１４０は、空間照明装置１１０の下部に固定されている。人感センサ１４０は、部屋１に配置された机２に対応するように、すなわち、１つの机２に対して１つの人感センサ１４０が設けられる。
【００４１】
制御装置１５０は、人感センサ１４０による検出結果等に基づいて空間照明装置１１０及び手元照明装置１２０の動作を制御するものである。制御装置１５０は、ＲＡＭやＲＯＭ等の記憶部、ＣＰＵ等の演算処理部等により構成され、種々の情報に基づいて所定の演算処理や記憶等を行うことができる。
【００４２】
制御装置１５０は、操作具１３０に接続され、当該操作具１３０の操作量についての情報を受信することができる。
制御装置１５０は、人感センサ１４０に接続され、当該人感センサ１４０による検出結果を受信することができる。
また制御装置１５０は、空間照明装置１１０及び手元照明装置１２０に接続され、当該空間照明装置１１０及び手元照明装置１２０の動作を制御することができる。
【００４３】
以下では、上述の如く構成された照明システム１００の制御態様について説明する。
【００４４】
図３に示すステップＳ１０１において、制御装置１５０は、人感センサ１４０による検出結果に基づいて、部屋１に在室者Ｐがいるか否かを判定する。具体的には、制御装置１５０は、ステップＳ１０１において、人感センサ１４０により在室者Ｐが一人でも検出されている場合、部屋１に在室者Ｐがいると判定する。また、制御装置１５０は、人感センサ１４０により在室者Ｐが一人も検出されていない場合、部屋１に在室者Ｐがいないと判定する。
【００４５】
制御装置１５０は、部屋１に在室者Ｐがいないと判定した場合、ステップＳ１０２に移行する。
また、制御装置１５０は、部屋１に在室者Ｐがいると判定した場合、ステップＳ１０３に移行する。
【００４６】
ステップＳ１０２において、制御装置１５０は、空間照明装置１１０及び手元照明装置１２０を全て消灯させる。
【００４７】
一方、ステップＳ１０１から移行したステップＳ１０３において、制御装置１５０は、外部から入力される現在の日時のデータに基づいて、現在、オフィスの就業時間前又は昼休みであるか否かを判定する。
【００４８】
なお、オフィスの就業時間や昼休みの時間等は、予め制御装置１５０に記憶されている。
【００４９】
制御装置１５０は、現在、オフィスの就業時間前又は昼休みであると判定した場合、ステップＳ１０４に移行する。
また、制御装置１５０は、現在、オフィスの就業時間前及び昼休みではないと判定した場合、ステップＳ１０５に移行する。
【００５０】
ステップＳ１０４において、制御装置１５０は、空間照明装置１１０及び手元照明装置１２０の出力を調節する。具体的には、制御装置１５０は、空間照明装置１１０の照度を約１００ｌｘになるように制御する。また制御装置１５０は、在室者Ｐが着座している机２に対応する手元照明装置１２０の照度を約２００ｌｘになるように制御する。なお、この際、当該在室者Ｐが操作具１３０を操作している場合には、当該操作具１３０による手元照明装置１２０の調節が優先される。すなわち、制御装置１５０は、手元照明装置１２０を、在室者Ｐの所望の照度となるように調節する。また制御装置１５０は、在室者Ｐが着座していない机２に対応する手元照明装置１２０を消灯させる。
【００５１】
一方、ステップＳ１０３から移行したステップＳ１０５において、制御装置１５０は、人感センサ１４０による検出結果に基づいて、部屋１の在室者率を算出する。なお、本実施形態において在室者率とは、部屋１に配置された机２のうち、在室者Ｐが検出された机２の割合（％）を意味している。
【００５２】
さらに制御装置１５０は、算出された在室者率が８０％以上（８０％以上、１００％以下）であるか否かを判定する。
制御装置１５０は、在室者率が８０％以上であると判定した場合、ステップＳ１０６に移行する。
また、制御装置１５０は、在室者率が８０％未満であると判定した場合、ステップＳ１０７（図４参照）に移行する。
【００５３】
ステップＳ１０６において、制御装置１５０は、空間照明装置１１０及び手元照明装置１２０の出力を調節する。具体的には、制御装置１５０は、空間照明装置１１０の照度を約３００ｌｘになるように制御する。また制御装置１５０は、在室者Ｐが着座している机２に対応する手元照明装置１２０の照度を約３００ｌｘになるように制御する。なお、この際、当該在室者Ｐが操作具１３０を操作している場合には、当該操作具１３０による手元照明装置１２０の調節が優先される。また制御装置１５０は、在室者Ｐが着座していない机２に対応する手元照明装置１２０を消灯させる。
【００５４】
一方、ステップＳ１０５から移行したステップＳ１０７（図４参照）において、制御装置１５０は、人感センサ１４０による検出結果に基づいて、部屋１の作業区画Ｓの中で、全員が不在の作業区画Ｓがあるか否かを判定する。ここで、全員が不在の作業区画Ｓとは、作業区画Ｓの机２に在室者Ｐが一人も着座していない状態を意味する。
【００５５】
制御装置１５０は、部屋１の作業区画Ｓの中で、全員が不在の作業区画Ｓがないと判定した場合、ステップＳ１０８に移行する。
また、制御装置１５０は、部屋１の作業区画Ｓの中で、全員が不在の作業区画Ｓがあると判定した場合、ステップＳ１０９に移行する。
【００５６】
ステップＳ１０８において、制御装置１５０は、空間照明装置１１０及び手元照明装置１２０の出力を調節する。具体的には、制御装置１５０は、空間照明装置１１０の照度を約２００ｌｘになるように制御する。また制御装置１５０は、在室者Ｐが着座している机２に対応する手元照明装置１２０の照度を約２００ｌｘになるように制御する。なお、この際、当該在室者Ｐが操作具１３０を操作している場合には、当該操作具１３０による手元照明装置１２０の調節が優先される。
【００５７】
さらに制御装置１５０は、作業区画Ｓに設けられた複数の手元照明装置１２０のうち、５０％以上が点灯するように、当該手元照明装置１２０を制御する。例えば、図５（ａ）に示すように、ある作業区画Ｓに二人の在室者Ｐが着座している場合を想定する。なお、図中において黒塗りで示した手元照明装置１２０は、消灯していることを意味している。この場合、まず在室者Ｐが着座している２つの机２の手元照明装置１２０が点灯されるため、当該作業区画Ｓでは約３３％（６つのうち２つ）の手元照明装置１２０が点灯することになる。そこで制御装置１５０は、図５（ｂ）に示すように、在室者Ｐが着座していない机２の手元照明装置１２０の中から、さらにもう１つの手元照明装置１２０を約２００ｌｘで点灯させる。これによって、当該作業区画Ｓでは５０％（６つのうち３つ）の手元照明装置１２０が点灯することになる。なお、この際、その他の手元照明装置１２０（残り３つの手元照明装置１２０）は消灯される。
【００５８】
一方、ステップＳ１０７から移行したステップＳ１０９において、制御装置１５０は、全員が不在の作業区画Ｓに設けられた空間照明装置１１０及び手元照明装置１２０の出力を調節する。具体的には、制御装置１５０は、当該作業区画Ｓの空間照明装置１１０を全て消灯させる。また制御装置１５０は、当該作業区画Ｓに設けられた複数の手元照明装置１２０のうち、５０％以上が点灯するように、当該手元照明装置１２０を制御する。具体的には、当該作業区画Ｓに設けられた６つの手元照明装置１２０の中から３つ（５０％）の手元照明装置１２０を選択し、当該３つの手元照明装置１２０を約２００ｌｘで点灯させる。
【００５９】
制御装置１５０は、当該ステップＳ１０９の処理を行った後、ステップＳ１１０に移行する。
【００６０】
ステップＳ１１０において、制御装置１５０は、全員が不在ではない作業区画Ｓに設けられた空間照明装置１１０及び手元照明装置１２０の出力を調節する。すなわち制御装置１５０は、ステップＳ１０９で空間照明装置１１０等の出力の調節を行わなかった作業区画Ｓについては、ステップＳ１１０において当該調節を行う。具体的には、制御装置１５０は、当該作業区画Ｓの空間照明装置１１０の照度を約２００ｌｘになるように制御する。また制御装置１５０は、在室者Ｐが着座している机２に対応する手元照明装置１２０の照度を約２００ｌｘになるように制御する。なお、この際、当該在室者Ｐが操作具１３０を操作している場合には、当該操作具１３０による手元照明装置１２０の調節が優先される。
【００６１】
さらに制御装置１５０は、当該作業区画Ｓに設けられた複数の手元照明装置１２０のうち、５０％以上が点灯するように、当該手元照明装置１２０を制御する。なお、この処理は、ステップＳ１０８における処理と略同一である。
【００６２】
以上のように、制御装置１５０は、ステップＳ１０１からステップＳ１１０までの処理を繰り返し行い、部屋１の照明環境（空間照明装置１１０及び手元照明装置１２０）を調節する。以下では、当該制御装置１５０によって照明環境が調節された際の具体例について説明する。
【００６３】
部屋１に在室者Ｐがいない場合（ステップＳ１０１でＮｏ、ステップＳ１０２）、図６に示すように、空間照明装置１１０及び手元照明装置１２０は全て消灯される。なお、図中において黒塗りで示した空間照明装置１１０は、消灯していることを意味している。このように、部屋１に在室者Ｐがいない場合には、照明が不要となるため、空間照明装置１１０等を全て消灯することで省エネを図ることができる。
【００６４】
また、現在、オフィスの就業時間前又は昼休みである場合（ステップＳ１０３でＹｅｓ、ステップＳ１０４）、図７に示すように、空間照明装置１１０は照度が約１００ｌｘになるように点灯する。また手元照明装置１２０は、対応する机２に在室者Ｐが着座しているものだけが、照度が約２００ｌｘ（又は、当該在室者Ｐの所望の照度）になるように点灯する。
【００６５】
このように、就業時間前等においては、空間照明装置１１０の照度を比較的低く抑え、省エネを図ることができる。また、在室者Ｐが着座している机２の手元照明装置１２０のみを比較的低い照度で点灯させることで、必要最低限の明るさを確保することができる。またこの場合、点灯している手元照明装置１２０が在室者Ｐの視界に入るため、当該在室者Ｐに部屋１が明るい印象を与えることができる。すなわち、在室者Ｐに暗い印象を与えることなく、空間照明装置１１０の照度を低く抑えて省エネを図ることができる。
【００６６】
また、就業時間において在室者率が８０％以上である場合（ステップＳ１０５で８０％以上、ステップＳ１０６）、図８に示すように、空間照明装置１１０は照度が約３００ｌｘになるように点灯する。また手元照明装置１２０は、対応する机２に在室者Ｐが着座しているものだけが、照度が約３００ｌｘ（又は、当該在室者Ｐの所望の照度）になるように点灯する。
【００６７】
このように、就業時間に部屋１に多くの人がいる場合（在室者率が８０％以上である場合）には、空間照明装置１１０の照度を最も高くすることで、部屋１全体の明るさを確保することができる。また、在室者Ｐが着座している机２の手元照明装置１２０のみを最も高い照度で点灯させることで、当該机２を利用する在室者Ｐの作業効率の向上を図ることができる。
【００６８】
また、就業時間において在室者率が８０％未満であり、部屋１の作業区画Ｓの中で全員が不在の作業区画Ｓがない場合（ステップＳ１０７でＮｏ、ステップＳ１０８）、図９に示すように、空間照明装置１１０は照度が約２００ｌｘになるように点灯する。また手元照明装置１２０は、対応する机２に在室者Ｐが着座しているものだけが、照度が約２００ｌｘ（又は、当該在室者Ｐの所望の照度）になるように点灯する。さらに、作業区画Ｓに設けられた複数の手元照明装置１２０のうち、点灯しているものが５０％未満である場合には、５０％以上になるように適宜手元照明装置１２０が点灯される。
【００６９】
このように、部屋１において、比較的まばらに在室者Ｐが着座しており（在室者率が８０％未満）、全員が不在の作業区画Ｓがない場合には、空間照明装置１１０の照度を若干低く抑え、手元照明装置１２０により部屋１の明るさ（手元照明装置１２０が在室者Ｐの視界に入ったときの感覚的な明るさ）を補うことができる。このように、手元照明装置１２０で明るさを補うことで、部屋１の明るさを考慮しつつ空間照明装置１１０の照度を抑えることができ、ひいては省エネを図ることができる。また、作業区画Ｓの手元照明装置１２０を５０％以上点灯させることで、在室者Ｐに対して暗い印象を与えないようにすることができる。
【００７０】
また、就業時間において在室者率が８０％未満であり、部屋１の作業区画Ｓの中で全員が不在の作業区画Ｓがある場合（ステップＳ１０７でＹｅｓ、ステップＳ１０９、ステップＳ１１０）、図１０に示すように、全員が不在の作業区画Ｓの空間照明装置１１０は消灯する。また、当該作業区画Ｓの手元照明装置１２０のうち５０％以上が、照度が約２００ｌｘになるように点灯する。
【００７１】
このように、全員が不在の作業区画Ｓがある場合には、当該作業区画Ｓの手元照明装置１２０の５０％以上を点灯させることで、当該手元照明装置１２０を視認した在室者Ｐに対して明るい印象を与えることができる。これによって、在室者Ｐに暗い印象を与えることなく、空間照明装置１１０を消灯して省エネを図ることができる。
【００７２】
以上の如く、本実施形態に係る照明システム１００は、
部屋１に配置された机２（座席）に対応して設けられ、かつ前記部屋１の床面１ｂから１．５ｍ以上２．０ｍ未満の高さに設けられる手元照明装置１２０と、
前記手元照明装置１２０より上方に設けられ、前記部屋１の天井１ａに向かって光を照射する空間照明装置１１０と、
前記手元照明装置１２０及び前記空間照明装置１１０の動作を制御可能な制御装置１５０と、
を具備するものである。
このように構成することにより、在室者Ｐに対して室内空間を明るく感じさせることができる。すなわち、在室者Ｐの視界に入り易い高さに手元照明装置１２０を配置することで、当該手元照明装置１２０が点灯する様子を在室者Ｐに見せ、感覚的に室内空間を明るく感じさせることができる。これにより、部屋１の雰囲気の適正化を図る（活発な雰囲気にする）ことができ、作業効率の向上を図ることもできる。また、比較的消費電力の小さい手元照明装置１２０により明るさを補うことで、比較的消費電力の大きい空間照明装置１１０の照度を下げれば、省エネを図ることもできる。
【００７３】
また、前記手元照明装置１２０は、
光源１２１と、
前記光源１２１を覆う半透明のセード１２２（カバー）と、
を具備するものである。
このように構成することにより、在室者Ｐに対して室内空間をより効果的に明るく感じさせることができる。すなわち、光源１２１からの光を半透明のセード１２２を介して在室者Ｐに視認させることで、当該在室者Ｐにやわらかい光を視認させ、部屋１が全体的に明るくなったような印象を与えることができる。
【００７４】
また、前記空間照明装置１１０は、
前記部屋１の天井から２０ｃｍ以上離れた位置に設けられるものである。
このように構成することにより、室内空間を効果的に明るくすることができる。すなわち、天井の広い範囲に空間照明装置１１０からの光を照射することで、室内空間をより広い範囲で明るくすることができる。
【００７５】
また、前記天井１ａには、
光を拡散反射させる加工が施されるものである。
このように構成することにより、室内空間を効果的に明るくすることができる。すなわち、空間照明装置１１０からの光の拡散を促すことで、室内空間をより広い範囲で明るくすることができる。
【００７６】
また、照明システム１００は、
前記部屋１の在室者Ｐを検出する人感センサ１４０（在室者検出手段）をさらに具備し、
前記制御装置１５０は、
前記人感センサ１４０により検出された在室者Ｐの有無に応じて前記手元照明装置１２０及び前記空間照明装置１１０の動作を制御するものである。
このように構成することにより、在室者Ｐの有無に応じた照明環境の調節が可能となる。
【００７７】
また、照明システム１００は、
前記部屋１の在室者Ｐを検出する人感センサ１４０をさらに具備し、
前記制御装置１５０は、
前記人感センサ１４０により検出された在室者Ｐの数に基づいて、在室者Ｐの多さの度合いである在室者率を算出し、当該在室者率に応じて前記手元照明装置１２０及び前記空間照明装置１１０の動作を制御するものである。
このように構成することにより、在室者率に応じた照明環境の調節が可能となる。
【００７８】
また、前記制御装置１５０は、
時間帯に応じて前記手元照明装置１２０及び前記空間照明装置１１０の動作を制御するものである。
このように構成することにより、時間帯に応じた照明環境の調節が可能となる。
【００７９】
また、照明システム１００は、
前記部屋１に設定された複数の作業区画Ｓ（区画）のそれぞれに在室者Ｐが存在するか否かを検出する人感センサ１４０（区画別検出手段）をさらに具備し、
前記制御装置１５０は、
前記人感センサ１４０により検出された在室者Ｐの存在の有無に応じて、前記作業区画Ｓごとに前記手元照明装置１２０及び前記空間照明装置１１０の動作を制御するものである。
このように構成することにより、各作業区画Ｓの在室者Ｐの有無に応じた照明環境の調節が可能となる。
【００８０】
なお、本実施形態に係る机２は、本発明に係る座席の実施の一形態である。
また、本実施形態に係るセード１２２は、本発明に係るカバーの実施の一形態である。
また、本実施形態に係る人感センサ１４０は、本発明に係る在室者検出手段及び区画別検出手段の実施の一形態である。
また、本実施形態に係る作業区画Ｓは、本発明に係る区画の実施の一形態である。
【００８１】
以上、本発明の一実施形態を説明したが、本発明は上記構成に限定されるものではなく、特許請求の範囲に記載された発明の範囲内で種々の変更が可能である。
【００８２】
例えば、空間照明装置１１０及び手元照明装置１２０の構成は、上記実施形態（図１参照）に限るものではない。例えば、図１１（ａ）に示す第一の変形例のように、天井から吊り下げられた架台１１１の上面に光源１１２を設け、空間照明装置１１０としてもよい。また、当該架台１１１の下面に光源１２１を設け、手元照明装置１２０としてもよい。また図１１（ｂ）に示す第一の変形例のように、架台１１１を机２に固定してもよい。
【００８３】
また、本実施形態においては、手元照明装置１２０のセード１２２は半透明材料により形成されるものとしたが、例えば透明度の高い（透明な）材料で形成することも可能である。但し、セード１２２を透明な材料で形成すると、在室者Ｐが光源１２１を視認した際にまぶしく感じるようになり、相対的に他の空間を暗く感じさせてしまうおそれがある。このため、セード１２２はある程度光を遮ることが可能な半透明に形成されることが好ましい。
【００８４】
また、本実施形態においては、机２に着座している在室者Ｐを、赤外線センサ等により構成された人感センサ１４０により検出するものとしたが、本発明はこれに限るものではなく、種々の方法で検出することができる。例えば、在室者Ｐが椅子に着座する際の圧力を検出する圧力センサや、カメラにより取得された画像を用いた画像認識機能によって、在室者Ｐを検出することも可能である。
【００８５】
また、本実施形態においては、人感センサ１４０を用いて部屋１の在室者Ｐの有無を検出するものとしたが、本発明はこれに限るものではなく、着座した在室者Ｐを検出する人感センサ１４０とは別に、部屋１に在室者Ｐが存在するか否かを検出するセンサを設けることも可能である。
【００８６】
また、本実施形態では、図３のステップＳ１０３において、オフィスの就業時間前又は昼休みであるか否かを判定したが、これは一例であり、任意の時間帯を設定することが可能である。例えば、本来部屋１に在室者Ｐが存在しない（部屋１を使用しない）はずの時間帯を設定しておけば、当該時間帯に空間照明装置１１０等を消灯させる（ステップＳ１０２参照）ことができ、省エネを図ることができる。
【００８７】
また、本実施形態では、図３のステップＳ１０５において、在室者率は、部屋１に配置された机２の数を基準に算出するものとしたが、本発明に係る在室者率の定義はこれに限るものではない。すなわち、在室者率とは、部屋１の在室者Ｐの多さの度合いを示すことができればよく、任意に定義することができる。例えば、本来想定される在室者Ｐの数（部屋１の定員）に対する実際の在室者Ｐの数の割合等を、在室者率としてもよい。
【００８８】
また、本実施形態においては、１つの机２に対して１つの手元照明装置１２０が設けられる構成を例示したが、本発明はこれに限るものではなく、例えば、２つの机２（向かい合って配置される一対の机２）に対して１つの手元照明装置１２０を設ける構成であってもよい。すなわち、机２と手元照明装置１２０とが対応していれば、個数は異なっていてもよい。
【００８９】
また、本実施形態においては、オフィスを想定した例を示したが、本発明はこれに限らず、種々の部屋に適用することが可能である。
【符号の説明】
【００９０】
１      部屋
１ａ    天井
１ｂ    床面
２      机
１００  照明システム
１１０  空間照明装置
１２０  手元照明装置
１２１  光源
１２２  セード
１３０  操作具
１４０  人感センサ
１５０  制御装置
【図１】
2018056016.tif 000003
【図２】
2018056016.tif 000004
【図３】
2018056016.tif 000005
【図４】
2018056016.tif 000006
【図５】
2018056016.tif 000007
【図６】
2018056016.tif 000008
【図７】
2018056016.tif 000009
【図８】
2018056016.tif 000010
【図９】
2018056016.tif 000011
【図１０】
2018056016.tif 000012
【図１１】
2018056016.tif 000013